(57)【要約】【課題】  ズーミングを行う回転操作部へのアクセス性とグリップ周辺に配置された機能スイッチへの操作性を変化させることなく、グリップのホールド感を向上させることを可能にしたズーム操作装置を提供する。【解決手段】  操作者に握られるグリップと、前記グリップの一方の端に隣接して配置され、前記グリップの長手方向を軸として回動操作可能なズーム操作部材と、を有し、前記ズーム操作部材の前記グリップに対する回転角度に基づくズーム制御信号を出力するズーム操作装置であって、前記グリップは、前記長手方向を中心とする周方向において分割された複数の分割グリップ部材からなり、前記複数の分割グリップ部材は、前記長手方向に垂直な面内での前記複数の分割グリップ部材の互いの間隔を変更することにより、前記グリップの径を変更する。【選択図】  図２
2018124496.tif 000002
【特許請求の範囲】
【請求項１】
操作者に握られるグリップと、前記グリップの一方の端に隣接して配置され、前記グリップの長手方向を軸として回動操作可能なズーム操作部材と、を有し、前記ズーム操作部材の前記グリップに対する回転角度に基づくズーム制御信号を出力するズーム操作装置であって、
前記グリップは、前記長手方向を中心とする周方向において分割された複数の分割グリップ部材からなり、
前記複数の分割グリップ部材は、前記長手方向に垂直な面内での前記複数の分割グリップ部材の互いの間隔を変更することにより、前記グリップの径を変更する、
ことを特徴とするズーム操作装置。
【請求項２】
前記複数の分割グリップ部材は２つの部材であることを特徴とする請求項１に記載のズーム操作装置。
【請求項３】
前記複数の分割グリップ部材の互いの間隔を変更する際に、前記複数の分割グリップ部材の内の１つは前記ズーム操作部材に対して移動しない、ことを特徴とする請求項１又は２に記載のズーム操作装置。
【請求項４】
前記複数の分割グリップ部材の互いの間隔を変更する際に、前記移動しない１つの分割グリップ部材以外の前記分割グリップ部材は、前記長手方向に垂直な方向に移動する、ことを特徴とする請求項３に記載のズーム操作装置。
【請求項５】
前記複数の分割グリップ部材の互いの間隔を変更する際に、前記移動しない１つの分割グリップ部材以外の前記分割グリップ部材は、前記長手方向に垂直な軸を回転軸として回動する、ことを特徴とする請求項３に記載のズーム操作装置。
【請求項６】
前記複数の分割グリップ部材の互いの間隔は無段階に変更可能である、ことを特徴とする請求項１乃至５のいずれか１項に記載のズーム操作装置。
【請求項７】
前記複数の分割グリップ部材を互いに離間する方向に付勢する弾性部材と、前記複数の分割グリップ部材の互いの離間量を変更する離間量変更手段をさらに含む、ことを特徴とする請求項１乃至６のいずれか１項に記載のズーム操作装置。
【請求項８】
前記グリップを被覆する、弾性材料からなるカバー部材を有する、ことを特徴とする請求項１乃至７のいずれか１項に記載のズーム操作装置。
【請求項９】
請求項１乃至８のいずれか１項に記載のズーム操作装置を有するレンズシステム。
【請求項１０】
請求項９に記載のレンズシステムと、該レンズシステムによって形成された光学像を受光する撮像素子とを有する撮像システム。
【発明の詳細な説明】
【技術分野】
【０００１】
本発明は、レンズのズーム動作を遠隔操作にて行うズーム操作装置およびそれを有するレンズシステム及び撮像装置に関するものである。
【背景技術】
【０００２】
従来、大型レンズを搭載したカメラを使用して、スタジオ内での撮影や野球場などフィールド上での撮影などを行う場合には、三脚にテレビカメラを固定して撮影を行っている。三脚には、パンニングやチルト操作を行うための操作バーが両サイドに接続されており、一方のバーにフォーカス操作装置、もう一方のバーにズーム操作装置を固定し、それぞれの操作装置を握ったまま、パンニングやチルト操作ができるようになっている。一般的に、ズーム操作装置では、グリップ部を握った状態で前方にある回転操作部を親指で操作することによってズーミングを行い、グリップ部に配置されたプッシュ型の機能スイッチを人差指や中指を使って操作されている。このように、グリップを握った状態で操作部へアクセスするような場合、グリップの大きさが、その操作性に大きく影響する。
【０００３】
図１４に従来のズームコントローラを示す。１はズーミング操作を行うズーム操作部材で、固定ビス２６で、不図示の回転軸に固定され、回動可能に取り付けられている。２７はグリップである。９は機能スイッチのボタンで、グリップ２７の下方に取り付けられている。例えば、グリップ２７の径が大きすぎる場合、各操作部に指が届かなくなり、逆に小さすぎる場合、各操作部が近すぎてしまい、操作性は悪くなってしまう。このためグリップ２７の外径は、ユーザーによって変更して対応したり、製品が使用される国ごとに地域専用の操作装置を用意したりしている場合が多い。
【０００４】
このため、操作部の操作性改善に関する提案も多くなされている。特許文献１には、グリップ部に配置される場合が多いビューファインダーの映像切り替え機能を、グリップ部前方に配置されたズーミングを行うための回転操作部を前後方向へスライドすることにより兼ね備えさせることが記載されている。
【先行技術文献】
【特許文献】
【０００５】
【特許文献１】特開２００４−１０４２９４号公報
【発明の概要】
【発明が解決しようとする課題】
【０００６】
しかしながら、従来のように製品が使用される（例えば国ごとの）地域専用の操作装置を提供すると、同じ機能を有した操作装置を複数製作しなければならず、コスト的なデメリットが大きい。また、グリップを交換して対応すると握りやすくはなるものの、グリップ前方にある回転操作部へのアクセス角度が変化してしまい、ズーミングの操作性が悪化してしまう。つまり、回転操作部へのアクセス性を変化させないように、グリップを握りやすくする必要性がある。さらに、特許文献１に開示された技術は、ズーミングを行うための回転操作部自体が動いてしまうので、機能性は上がるが、操作性が悪化してしまう。
【０００７】
そこで、本発明の目的は、ズーミングを行う回転操作部へのアクセス性とグリップ周辺に配置された機能スイッチへの操作性を変化させることなく、グリップのホールド感を向上させることを可能にしたズーム操作装置およびそれを有するレンズシステム及び撮像装置を提供することである。
【課題を解決するための手段】
【０００８】
上記目的を達成するために、本発明は、操作者に握られるグリップと、前記グリップの一方の端に隣接して配置され、前記グリップの長手方向を軸として回動操作可能なズーム操作部材と、を有し、前記ズーム操作部材の前記グリップに対する回転角度に基づくズーム制御信号を出力するズーム操作装置であって、前記グリップは、前記長手方向を中心とする周方向において分割された複数の分割グリップ部材からなり、前記複数の分割グリップ部材は、前記長手方向に垂直な面内での前記複数の分割グリップ部材の互いの間隔を変更することにより、前記グリップの径を変更する、ことを特徴とする。
【発明の効果】
【０００９】
本発明によれば、ズーミングを行う回転操作部へのアクセス性とグリップ周辺に配置された機能スイッチへの操作性を変化させることなく、グリップのホールド感を向上させることを可能にしたズーム操作装置およびそれを有するレンズシステム及び撮像装置を提供することができる。
【図面の簡単な説明】
【００１０】
【図１】本発明の実施例１であるズーム操作装置の側面図
【図２】実施例１である可動前状態での側面図のII断面図
【図３】実施例１である可動ガイド構造を示した側面図のIII断面図
【図４】実施例１である機能スイッチ保持構造を示した側面図のIV断面図
【図５】実施例１である可動後状態での側面図の断面図
【図６】本発明の実施例２であるズーム操作装置の側面図（可動前状態）
【図７】実施例２であるズーム操作装置の側面図（可動後状態）
【図８】実施例２である可動構造を示した側面図のVIII断面図
【図９】実施例２である回転構造を示した側面図のIX断面図
【図１０】実施例２である機能スイッチ保持構造と可動ガイド構造を示した側面図のＸ断面図
【図１１】実施例の変形例に係るズーム操作装置の側面図
【図１２】実施例の変形例に係るズーム操作装置の径拡大時の側面図
【図１３】本発明のズーム操作装置を適用したレンズ装置を含む撮像システム
【図１４】従来例のズーム操作装置の側面図
【発明を実施するための形態】
【００１１】
以下に、本発明の好ましい実施の形態を、添付の図面に基づいて詳細に説明する。図１は、本発明の実施形態に係るズーム操作装置のグリップ外径可変機構の左側面図である。
【実施例１】
【００１２】
以下、図１乃至５を参照して、本発明の第１の実施例によるズーム操作装置のグリップ外径可変機構について説明する。
【００１３】
図１はズーム操作装置のグリップ外径可変機構の左側面図で、図２はグリップ外径可動機構と固定構造を示した図１のII断面図である。図１、２において、１はズーミング操作を行うための回動操作可能なズーム操作部材で、グリップの長手方向に平行（後述する操作軸に平行）な回動軸を中心に回動可能に取り付けられている。２はズーム操作部材と連結された操作軸で、不図示の回転検出器とも連結されており、回転角度に基づくズーム制御信号をレンズへ送出（出力）してレンズのズーム動作が行われている。グリップは、固定グリップ３、可動グリップ４の、周方向において２つに分割された部材（複数の分割グリップ部材）から構成される。前述のズーミング操作を行うための回転操作可能なズーム操作部材1は、グリップの一方の（レンズ装置側の）端に隣接して配置されている。５は可動グリップ４の送りねじ（離間量変更手段）で固定グリップ３のねじ部３ａにねじ込まれている。６は可動グリップ４の固定ねじで固定グリップ３のねじ部３ｂにねじ込んで、固定グリップ３に対する可動グリップ４の位置関係を画定し固定する。この構成により、固定グリップ３と可動グリップ４とのグリップの長手方向に垂直な面内での間隔は、無段階に変更可能である。可動グリップ４には、送りねじ５の脱落防止ねじ４ａと、固定ねじ６の逃げ溝４ｂ、送りねじ５の受け面４ｃが設けられている。７はワッシャで、固定ねじ６の座面に置かれている。８は固定グリップ３、可動グリップ４を被覆する化粧カバー（カバー部材）で、伸縮可能な弾性材料で構成されている。化粧カバー８には送りねじ５用の逃げ穴８ａ、固定ねじ６用の逃げ穴８ｂが設けられている。９はビューファインダーの映像切り替え等を行う機能スイッチのボタンである。
【００１４】
図３は可動グリップ４の可動ガイドおよび動力構造を示した図１のIII断面図である。これら可動ガイドおよび動力構造は、図１に示すようにグリップの前方と後方の２か所に配置されている。図３において、１０は可動グリップ４と一体となったガイドピンで、可動グリップ４は、固定グリップ３のガイド孔３ｃに沿って摺動する。１１はばね（弾性部材）で、このばね１１の力によって、可動グリップ４を下方へ押し下げる。すなわち、固定グリップ３と可動グリップ４の間隔を広げる（離間する）ように付勢する力が加えられている。
【００１５】
図４は機能スイッチの固定方法を示した図１のIV断面図である。図４において、１２はスイッチ本体で、可動グリップ４に固定されている。１３は前述のボタン９の抜け留めで、可動グリップ４にねじ込まれている。また、固定グリップ３にはスイッチ本体１２の結線用逃げ穴３ｄ、可動グリップ４にはボタン９のガイド孔４ｄ、化粧カバー８にはボタン９の逃げ穴８ｃがそれぞれ設けられている。
【００１６】
図５は可動グリップ４が下方へスライドした状態を示した図１のII断面図である。図５において、１４、１５は可動グリップ４がスライドした後にできた隙間である。上記構成に於いて、可動グリップ４を図２の状態から下方へ動かし、図５の状態にする場合、まず、固定ねじ６を緩めて可動グリップ４の固定グリップ３への固定を開放する。次に、送りねじ５を回して下方へ下げていくと、送りねじ５と可動グリップ４の受け面４ｃとの間に隙間ができる。これにより、ばね１１のチャージ力によって、可動グリップ４は下方へ押し下げられ、受け面４ｃが送りねじ５に再び接する所で止まる。このとき、機能スイッチも可動グリップ４とともに下方へ移動する。送りねじ５の送り量によって固定グリップ３と可動グリップ４との間の最大の離間量を画定する構成の場合は、固定グリップ３と可動グリップ４との間に、互いを離間させる力を与える弾性部材を有するようにしてもよい。また、送りねじ５の送り量によって、固定グリップ３と可動グリップ４との間の間隔が画定されるような構成としてもよい。この状態で固定ねじ６により、可動グリップ４を固定グリップ３に対して強固に固定し一体化させる。この時、化粧カバー８は可動グリップ４によって延ばされ、外観上、下方に大きくなったグリップ形状ができる。
【００１７】
本実施形態によれば、グリップを上下に分割し、操作者がグリップを握った手の親指でのズーム操作部材１の操作において、親指とズーム操作部材１との位置関係を変化させることがないようにグリップ上部を固定する。また、グリップ下部を機能スイッチとともに無段階に移動させ、グリップ径を変更することを可能とする。すなわち、固定グリップ３（１つの分割グリップ部材）はズーム操作部材に対して移動することはなく、可動グリップ４（１つの分割グリップ部材以外の分割グリップ部材）が固定グリップ３に対して移動する。
【００１８】
これにより、ズーム操作部材１および機能スイッチへの操作性を変えることなく任意の握りやすいグリップ径への変更が可能となり、操作性が向上するという効果がある。
【実施例２】
【００１９】
以下、図６乃至１０を参照して、本発明の第２の実施例による、ズーム操作装置のグリップ外径可変構造について説明する。
【００２０】
図６、７は、それぞれズーム操作装置のグリップ可動前後の側面図であり、説明の便宜上、ＤＤ線より下部は化粧カバー８を外した状態を示している。図８、９は、グリップの可動機構を示したVIII断面図およびIX断面図である。図６、９において、１６は固定グリップ、１７は可動グリップで、周方向において２つに分割された部材（複数の分割グリップ部材）から構成されている。１８は可動グリップ１７の送りねじで、固定グリップ１６のねじ部１６ａにねじ込まれている。可動グリップ１７には、送りねじ１８の脱落防止ねじ１７ａと、送りねじ１８の受け面１７ｂが設けられている。１９は可動グリップ１７のガイドピンで、固定グリップ１６に連結されて一体となっている。可動グリップ１７は、ガイドピン１９と係合した長溝１７ｃに沿って可動する。２０はＥリング、２１は調整ワッシャで、可動グリップ１７とのガタを調整している。２２は可動グリップ１７の回転軸、２３は抜け留リングで、可動グリップ１７は、回転軸２２を中心に回動する。２４は固定グリップ１６、可動グリップ１７の化粧カバーで、伸縮可能な弾性材料でできている。化粧カバー２４には、送りねじ１８の逃げ穴２４ａが設けられている。
【００２１】
図１０は可動グリップ１７の動力構造と機能スイッチの固定方法を示したＸ断面図である。図１０において、２５はばねで、固定グリップ１６の突起１６ｂと可動グリップ１７の突起１７ｄに落とし込まれて外れないようになっている。このばね２５の力によって、可動グリップ１７を下方へ押し下げる。機能スイッチ部には、結線用逃げ穴１６ｃ、ボタン９のガイド孔１７ｅと逃げ穴２４ｂが設けられている。その他の符号に関しては、実施例１の説明の通りである。上記構成に於いて、可動グリップ１７を下方へ動かす場合、送りねじ１８を回して下方へ下げていくと、送りねじ１８と可動グリップ１７の受け面１７ｂとの間に隙間ができる。この構成により、固定グリップ１６と可動グリップ１７とのグリップの長手方向に垂直な面内での間隔は、無段階に変更可能である。これにより、ばね２５のチャージ力によって、可動グリップ１７は回転軸２２を中心に回転しながら下方へ押し下げられ、受け面１７ｂが送りねじ１８に再び接する所で止まる。このとき、機能スイッチも可動グリップ１７とともに下方へ移動する。送りねじ１８の送り量によって固定グリップ１６と可動グリップ１７との間の最大の離間量を画定する構成の場合は、固定グリップ１６と可動グリップ１７との間に、互いを離間させる力を与える弾性部材を有するようにしてもよい。また、送りねじ１８の送り量によって、固定グリップ１６と可動グリップ１７との間の間隔が画定されるような構成としてもよい。この時、化粧カバー２４は可動グリップ１７によって延ばされ、外観上、下方に大きくなったグリップ形状ができる。
【００２２】
本実施形態によれば、グリップを上下に分割し、操作者がグリップを握った手の親指でのズーム操作部材１の操作において、親指とズーム操作部材１との位置関係を変化させることがないようにグリップ上部を固定する。また、グリップ下部を機能スイッチとともに無段階に移動させ、グリップ径を変更することを可能とする。すなわち、固定グリップ１６（１つの分割グリップ部材）はズーム操作部材１に対して移動することはなく、可動グリップ１７（１つの分割グリップ部材以外の分割グリップ部材）が固定グリップ１６に対して移動する。
本実施形態によれば、実施例１と同様の効果がある。
【００２３】
実施例１、２では、グリップを２分割した場合を例示したが、本発明はこれに限定されることはなく、グリップを３分割以上の多分割した構成であってもよい。図１１、１２に実施例１、２の変形例としてズーム操作装置のグリップを３分割構造とした場合の、ズーム操作装置の側面図を示す。図１１は、グリップの径を拡張させていない状態の長手方向に垂直な面での断面図、図１２は、グリップの径を拡張させた状態の長手方向に垂直な面での断面図である。図１１、１２共に例えば、図１のIII断面、図６のＸ断面での断面図であるが、説明の簡略化のため、実施例１、２で示したような、送りねじ５、１８等の繰り出し構造の記載は省略して示す。３分割された１つのグリップ３０は、握った手の親指がズーム操作部材１と当接する位置に配置される第１のグリップ３０であって、グリップの径を拡張させた場合でもその位置は変化しない。一方、他の２つのグリップ３１、３２は操作軸２から離れ、かつ、３分割されたグリップから互いに離れるように移動する。ここでの拡張は、実施例１のような平行移動的な拡張であっても、実施例２のような回転的な拡張であってもよい。この拡張により、弾性材料で構成される化粧カバー３３は、図１２に示す拡張前の点線で示す状態から径方向に広げられ、実施例１、２に対してより円に近い断面形状での拡張状態を実現することができる。本変形例においても、実施例１、２と同様の本発明の作用効果を享受することができる。
【００２４】
図１３に本発明のズーム操作装置を適用したレンズ装置を含む撮像システムを示す。パン及びチルト操作が可能な三脚１０５に、レンズ装置１１０とカメラ装置１２０からなる撮像装置が設置され、三脚１０５には操作バー１０３、１０４が接続される。オペレータは、操作バーを把持して、パン操作・チルト操作を実施するとともに、操作バー１０３に備えられた本発明のズーム操作装置１００、操作バー１０４に備えられたフォーカス操作装置１０２を操作することによって、ズーム、フォーカスを操作する。ズーム操作装置１００は通信ケーブル１０１を介してレンズ装置１１０と接続し、フォーカス操作装置１０２は他の通信ケーブルを介してレンズ装置１１０と接続している。
【００２５】
このように、本発明のズーム操作装置と、該ズーム操作装置によってズーム操作されるレンズ装置とを有するレンズシステムによって、本発明の効果を享受するレンズシステムを実現することができる。さらに、本発明のズーム操作装置を含むレンズシステムと、該レンズシステムによって形成された光学像を受光する撮像素子とを有する撮像システムを構成することによって、本発明の効果を享受することができる撮像装置を実現することができる。
【００２６】
以上、本発明の好ましい実施形態について説明したが、本発明はこれらの実施形態に限定されず、その要旨の範囲内で種々の変形及び変更が可能である。
【符号の説明】
【００２７】
１：ズーム操作部材
２：操作軸
３、１６：固定グリップ
４、１７：可動グリップ
４ａ、１７ａ：脱落防止ねじ
５、１８：送りねじ
【図１】
2018124496.tif 000003
【図２】
2018124496.tif 000004
【図３】
2018124496.tif 000005
【図４】
2018124496.tif 000006
【図５】
2018124496.tif 000007
【図６】
2018124496.tif 000008
【図７】
2018124496.tif 000009
【図８】
2018124496.tif 000010
【図９】
2018124496.tif 000011
【図１０】
2018124496.tif 000012
【図１１】
2018124496.tif 000013
【図１２】
2018124496.tif 000014
【図１３】
2018124496.tif 000015
【図１４】
2018124496.tif 000016